(57)【特許請求の範囲】
【請求項１】
弾性部材のピンホールに挿入してピンホールを拡張する筒状の拡張具と、心材の先端部に拡張前のピンホールより大径の栓部を有し、前記拡張具で拡張したピンホールより弾性部材の内部へ前記栓部を突出され、前記拡張具の抜き取りに伴って縮径するピンホールによって前記心材が締め付けられるとともに、前記栓部がピンホールの周縁部の弾性部材の内面に接合される内側リベットと、前記心材に連結され前記ピンホールの周縁部の弾性部材の外面に接合される外側リベットとを具備したことを特徴とするピンホール修理治具。
【請求項２】
前記栓部のホース内面と対面する部位にはパッキングが設けられていることを特徴とする請求項１記載のピンホール修理治具。
【請求項３】
前記心材には内側リベットと外側リベットによって弾性部材を挟持した後に折り曲げることにより切断される切断溝が設けられていることを特徴とする請求項１記載のピンホール修理治具。
【請求項４】
先端部及び基端部に開口部を有し、先端部を弾性部材のピンホールに挿入してピンホールを拡張する外筒と、先端部及び基端部に開口部を有し、前記外筒に挿入される内筒と、この内筒に挿脱自在な棒状の心材と、この心材の先端部に設けられ前記内筒先端部の凹部内に筒状に弾性変形し、前記外筒で拡張したピンホールを通過後、内部で皿状に弾性復元してピンホールの周縁部の弾性部材の内面に対面する皿状の内側リベットと、
前記心材を案内として前記ピンホールの周縁部のホースの外面に対面し、前記内側リベットとともに弾性部材を挟持する皿状の外側リベットとを具備したことを特徴とするピンホール修理治具。
【請求項５】
前記心材の先端部には内側リベット及び外側リベットが嵌着される嵌合溝が設けられていることを特徴とする請求項４記載のピンホール修理治具。
【請求項６】
前記心材の先端部には内側リベットと外側リベットによって弾性部材を挟持した後に折り曲げることにより切断される切断溝が設けられていることを特徴とする請求項４記載のピンホール修理治具。
【請求項７】
先端部及び基端部に開口部を有した外筒の先端部を弾性部材のピンホールに挿入してピンホールを拡張する第１の工程と、
先端部及び基端部に開口部を有した内筒に挿入された棒状の心材の先端部に内側リベットを設けた内筒及び心材を前記外筒の基端部の開口部から挿入して内側リベットをピンホールを通過して弾性部材の内側において皿状に弾性復元させ内側リベットをピンホールの周縁部の弾性部材の内面に対面させる第２の工程と、
前記外筒を内筒とともにピンホールから抜き取りピンホールを縮小させて心材に密着させる第３の工程と、
前記心材を案内として外側リベットをピンホールの周縁部の弾性部材の外面に対面させ、内側リベットとともに弾性部材を挟持する第４の工程と、
前記心材を外側リベットの近傍で切断する第５の工程と、
を具備したことを特徴とするピンホール修理方法。
【発明の詳細な説明】
【０００１】
【発明の属する技術分野】
この発明は、例えば、消防ホースに明けられたピンホールを塞ぐためのホース等の弾性部材のピンホール修理治具及びピンホール修理方法に関する。
【０００２】
【従来の技術】
例えば、消防ホースは、合成繊維からなる縦糸と横糸とを筒状に織成したジャケットと、このジャケットの内面にライニングされたゴムまたは合成樹脂のライニング層とから構成されている。消防ホースは、長尺であるため、折り畳んだり、あるいはドラムに巻き取って消防車の荷台等に搭載している。そして、火災発生時には消防車は現場に急行して荷台に搭載された消防ホースを引き出して複数本の消防ホースを接続金具によって接続して延長し、消火活動を行う。
【０００３】
したがって、消防ホースは、軽量化が要求され、ライニング層をできるだけ薄肉にしているにも拘らず、消火活動時には消防ホースを路面を引き摺って大きな引張り力が加わったり、車両が踏み付けで走行するなどの過酷な使用条件が余儀なくされている。このため、ジャケットに傷が付き、またジャケットを貫通してライニング層にピンホールが発生し、送水時にピンホールから水が漏れることが多々ある。
【０００４】
【発明が解決しようとする課題】
このように消防ホースにピンホールが発生した場合、その消防ホースを廃棄処分することは地球環境問題となるとともに不経済である。そこで、ピンホールを塞ぐ修理を行って再利用することが行われている。一般に、糊ゴムを塗った帆布をピンホールの位置に対応するジャケットの外側に貼り付けているが、外層にジャケットがあるためピンホールを完全に塞ぐことはできず、水漏れは完全には防止できない。また、糊ゴムが乾燥硬化すると、その修理部分の消防ホースが硬くなり、折り畳み、巻き取りなどの取扱いが困難となるとともに、見栄えが悪いという問題がある。
【０００５】
この発明は、前記事情に着目してなされたもので、その目的とするところは、ピンホールを簡単に、かつ完全に塞ぐことができ、また修理後における見栄えがよいピンホール修理治具及びピンホール修理方法を提供することにある。
【０００６】
【課題を解決するための手段】
この発明は、前記目的を達成するために、請求項１は、弾性部材のピンホールに挿入してピンホールを拡張する筒状の拡張具と、心材の先端部に拡張前のピンホールより大径の栓部を有し、前記拡張具で拡張したピンホールより弾性部材の内部へ前記栓部を突出され、前記拡張具の抜き取りに伴って縮径するピンホールによって前記心材が締め付けられるとともに、前記栓部がピンホールの周縁部の弾性部材の内面に接合される内側リベットと、前記心材に連結され前記ピンホールの周縁部の弾性部材の外面に接合される外側リベットとを具備したことを特徴とするピンホール修理治具にある。
【０００７】
請求項２は請求項１の前記栓部の弾性部材内面と対面する部位にはパッキングが設けられていることを特徴とする。
請求項３は請求項１の前記心材には内側リベットと外側リベットによって弾性部材を挟持した後に折り曲げることにより切断される切断溝が設けられていることを特徴とする。
【０００８】
請求項４は、先端部及び基端部に開口部を有し、先端部を弾性部材のピンホールに挿入してピンホールを拡張する外筒と、先端部及び基端部に開口部を有し、前記外筒に挿入される内筒と、この内筒に挿脱自在な棒状の心材と、この心材の先端部に設けられ前記内筒先端部の凹部内に筒状に弾性変形し、前記外筒で拡張したピンホールを通過後、内部で皿状に弾性復元してピンホールの周縁部の弾性部材の内面に対面する皿状の内側リベットと、
前記心材を案内として前記ピンホールの周縁部のホースの外面に対面し、前記内側リベットとともに弾性部材を挟持する皿状の外側リベットとを具備したことを特徴とするピンホール修理治具にある。
【０００９】
請求項５は、請求項４の前記心材の先端部には内側リベット及び外側リベットが嵌着される嵌合溝が設けられていることを特徴とする。
請求項６は、請求項４の前記心材の先端部には内側リベットと外側リベットによって弾性部材を挟持した後に折り曲げることにより切断される切断溝が設けられていることを特徴とする。
【００１０】
請求項７は、先端部及び基端部に開口部を有した外筒の先端部を弾性部材のピンホールに挿入してピンホールを拡張する第１の工程と、先端部及び基端部に開口部を有した内筒に挿入された棒状の心材の先端部に内側リベットを設けた内筒及び心材を前記外筒の基端部の開口部から挿入して内側リベットをピンホールを通過して弾性部材の内側において皿状に弾性復元させ内側リベットをピンホールの周縁部の弾性部材の内面に対面させる第２の工程と、前記外筒を内筒とともにピンホールから抜き取りピンホールを縮小させて心材に密着させる第３の工程と、前記心材を案内として外側リベットをピンホールの周縁部の弾性部材の外面に対面させ、内側リベットとともに弾性部材を挟持する第４の工程と、前記心材を外側リベットの近傍で切断する第５の工程とを具備したことを特徴とするピンホール修理方法にある。
【００１１】
【発明の実施の形態】
以下、この発明の実施の形態を図面に基づいて説明する。
図１及び図２は第１の実施形態を示し、図１は消防ホースのピンホールを修理するピンホール修理治具を示し、図２はピンホールの修理方法を示す。図１に示すように、ピンホール修理治具は、拡張具２１と穿刺部材２１ａと修理治具主体２２とから構成されている。
【００１２】
まず、拡張具２１から説明すると、拡張具２１は、金属製の筒体によって形成され、先端部２３ａ及び基端部２３ｂに開口部を有し、先端部２３ａは先端に向って先細のテーパに形成されているとともに、先端部２３ａの外周面には弾性部材としての消防ホースａのピンホールｂの口緑に係合する環状溝２３ｃが設けられている。また、基端部２３ｂは基端側に向かって拡径するテーパに形成されている。
【００１３】
次に、修理治具主体２２について説明すると、修理治具主体２２は、金属製の棒状の心材２５と，この心材２５の先端部に一体に設けられ、拡張前のピンホールｂより大径で円盤状の栓部２６とによって形成された内側リベット２４を有している。
【００１４】
心材２５の先端側で栓部２６より手元側には環状凸部２７ａが形成され、これと隣接する手元側には環状の切断溝２７ｂが設けられている。切断溝２７ｂは心材２５の外周に環状に切り込みを入れることにより形成され、心材２５に折り曲げ力を付与することにより、容易に切断できるようになっている。
【００１５】
さらに、栓部２６の手元側側面には弾性を有する合成樹脂またはゴムからなる傘状のパッキング２８が固着されており、このパッキング２８には心材２５の先端部の外周面を覆う筒部２８ａに傘状部２８ｂが一体に設けられている。
【００１６】
また、図中２９は、外側リベットであり、例えば合成樹脂によってパッキング２８とほぼ同一形状に形成され、中央部には心材２５に嵌合される嵌合穴３０が設けられ、この嵌合穴３０の内周面には心材２５の環状凸部２７ａと圧入係合する係合段部３０ａが設けられている。
【００１７】
次に、前述のように構成されたピンホール拡張具２１と修理治具主体２２とを用いて消防ホースａのピンホールｂを修理（塞ぐ）する方法を図２に基づいて説明する。なお、消防ホースａはジャケットとこのジャケットの内面にライニングされたゴム等のライニング層とからなる。
【００１８】
まず、（ａ）に示すように、拡張具２１に穿刺部材２１ａをセットして先端部２１ｂを消防ホースａの外側からピンホールｂに穿刺すると、先端部２１ｂはテーパに形成されているために挿入に伴って拡張される。（ｂ）に示すように、さらに、拡張具２１を深く挿入すると、ピンホールｂの口縁が拡張具２１の環状溝２３ｃに係合し、消防ホースａに対して拡張具２１が保持される。
【００１９】
次に、拡張具２１を押えた状態で、穿刺部材２１ａを抜きパッキング２８の傘状部２８ａの手元側側面に接着剤３１を塗布したのち、拡張具２１の基端部２３ｂから内側リベット２４を拡張具２１に挿入する。内側リベット２４のパッキング２８の傘状部２８ｂは拡張具２１の内径より大径に形成されているため、パッキング２８の傘状部２８ｂが手元側に弾性変形される。内側リベット２４を拡張具２１の内部にさらに深く挿入すると、栓部２６とともにパッキング２８が拡張具２１の先端部２３ａから突出して消防ホースａの内部に突出する。
【００２０】
次に、拡張具２１をピンホールｂから抜取ると、消防ホースａは弾性復元力によって縮径し、（ｃ）に示すように、ピンホールｂの口縁によって心材２５を締め付けた状態となる。そこで、心材２５を手元側に引くと、栓部２６がパッキング２８を介して消防ホースａの内面のピンホールｂの周縁部に押し付けられ、パッキング２８は接着剤３１によって接着される。
【００２１】
次に、心材２５基端側から接着剤３１を塗布した外側リベット２９を嵌合し、心材２５を案内として外側リベット２９を消防ホースａの外側面方向にスライドさせると、外側リベット２９の係合段部３０ａが心材２５の環状凸部２７ａに圧入係合されるとともに、外側リベット２９は消防ホースａの外側面のピンホールｂの周縁部に接着剤３１によって接着される。
【００２２】
次に、（ｄ）に示すように、心材２５の基端部を矢印方向に折り曲げて心材２５を切断溝２７ｂから切断して短くすると、残った心材２５の先端部でピンホールｂを塞いだ状態となる。ピンホールｂを塞いだ心材２５の先端部の栓部２６はパッキング２８を介して消防ホースａの内面に接合し、外側リベット２９は消防ホースａの外面に接合する。
【００２３】
したがって、心材２５は消防ホースａの肉厚方向に抜けることはなく、ピンホールｂを完全に塞ぎ、水漏れを防止することができる。また、心材２５は硬質であるが、ピンホールｂを塞いだ心材２５及び栓部２６は極小さい面積であることから消防ホースａの修理箇所が硬質になることはなく、消防ホースａの巻き取り、折り畳み及び取扱いに支障を来すことはなく、また消防ホースａの見栄えを損なうことがない。
【００２４】
図３は第１の実施形態の内側リベット２４の変形例を示し、（ａ）はパッキング２８に代わってＯリング３２を設けたものであり、（ｂ）は平パッキング３３を設けたものである。
【００２５】
また、図４は第１の実施形態の外側リベット２９の変形例を示し、（ａ）は心材２５にねじ部３４を設け、外側リベット２９にねじ部３４に螺合するねじ部３５を設けたものである。（ｂ）は心材２５をアルミニウム等の軟質金属で形成し、外側リベット２９を鋼等の硬質金属によって形成するとともにねじ部３６を設け、心材２５に食い込み固定するようにしたものである。（ｃ）はポンチ３７によって心材２５の端部を塑性変形して外側リベット２９と結合するようにしたものである。
【００２６】
図５〜図７は第２の実施形態を示し、図５はピンホール修理治具を示し、同図（ａ）はピンホール拡張具１、同図（ｂ）は修理治具主体２である。まず、ピンホール拡張具１から説明すると、ピンホール拡張具１は、金属製の外筒３と金属製の穿刺部材４とからなり、外筒３は先端部３ａ及び基端部３ｂに開口部を有し、先端部３ａは先端に向って先細のテーパに形成されているとともに、先端部３ａの外周面には消防ホースａのピンホールｂの口緑に係合する環状溝５が設けられている。また、外筒３の基端部３ｂにおける外周面には雄ねじ６が設けられている。
【００２７】
前記穿刺部材４は外筒３の基端部３ｂから挿入することにより、先端部４ａが外筒３の先端部３ａの開口から突出するようになっており、先端部４ａは先端に向って先細鋭利な尖端に形成されている。穿刺部材４の基端部４ｂには外筒３の基端部３ｂに嵌合する嵌合凹部７が形成され、この嵌合凹部７には外筒３の雄ねじ６と螺合する雌ねじ８が設けられている。
【００２８】
次に、修理治具主体２について説明すると、修理治具主体２は、金属製の内筒９と金属製の棒状の心材１０とからなり、内筒９は前記外筒３の内周面に密に嵌合する外径を有し、内筒９に対して軸方向に挿脱自在である。さらに、内筒９の先端部９ａ及び基端部９ｂには開口部を有し、先端部９ａは外筒３の先端部３ａの形状に倣って先細のテーパに形成されているとともに、内周面には断面が流線形の凹部９ｃが形成されている。
【００２９】
また、心材１０の先端部１０ａには環状の嵌合溝１１が設けられ、この環状溝１１の隣側には第１の切断溝１２が設けられている。さらに、心材１０の長手方向の略中間部には第２の切断溝１３が設けられている。第１及び第２の切断溝１２，１３は心材１０の外周に環状に切り込みを入れることにより形成され、心材１０に折り曲げ力を付与することにより、容易に切断できるようになっている。
【００３０】
心材１０の嵌合溝１１には柔軟性を有する合成樹脂またはゴムからなる皿状の内側リベット１４が嵌着されている。この内側リベット１４は自由の状態では心材１０の基端部１０ｂに向って凹となる曲面１４ａを有している。そして、心材１０の基端部１０ｂを持って後退させると、内側リベット１４の曲面１４ａが内筒９の先端部９ａと接触し、心材１０をさらに後退させると、内筒９の先端部９ａによって内側リベット１４が先端方向に押され、その中央部を支点として筒状に弾性変形して内筒９の凹部９ｃに接合するようになっており、このとき第２の切断溝１３と内筒９の基端面とが一致するようになっている。
【００３１】
次に、前述のように構成されたピンホール拡張具１と修理治具主体２とを用いて消防ホースａのピンホールｂを修理（塞ぐ）する方法を図６に基づいて説明する。なお、消防ホースａはジャケットとこのジャケットの内面にライニングされたゴム等のライニング層とからなる。
【００３２】
まず、（ａ）に示すように、穿刺部材４を外筒３の基端部３ｂから挿入し、先端部４ａを外筒３の先端部３ａの開口から突出させ、穿刺部材４を回して嵌合凹部７の雌ねじ８を外筒３の雄ねじ６と螺合して外筒３と穿刺部材４とを一体的に結合する。穿刺部材４の先端部４ａは先細鋭利な尖端部を有しているため、消防ホースａの外側から尖端部をピンホールｂに穿刺する。
【００３３】
さらに、穿刺部材４を深く挿入すると、テーパによってピンホールｂは徐々に拡張され、ピンホールｂの口縁が外筒３の環状溝５に係合し、消防ホースａに対して外筒３が保持される。次に、外筒３を押えた状態で、穿刺部材４を逆方向に回して雌ねじ８と雄ねじ６との結合を解除して外筒３から穿刺部材４を引き抜く。
【００３４】
一方、修理治具主体２は、（ｂ）に示すように、内筒９に対して心材１０が挿入された状態であり、内側リベット１４の曲面１４ａに接着剤１５を塗布した後、心材１０の基端部１０ｂを持って後退させると、内側リベット１４の曲面１４ａが内筒９の先端部９ａと接触する。心材１０をさらに後退させると、（ｃ）に示すように、内筒９の先端部９ａによって内側リベット１４が先端方向に押され、その中央部を支点として筒状に弾性変形して内筒９の凹部９ｃに接合する。このとき第２の切断溝１３と内筒９の基端面とが一致するため、心材１０の基端部１Ｏｂを矢印Ａ方向に折り曲げて心材１０を第２の切断溝１３から切断して短くする。
【００３５】
次に、（ｄ）に示すように、修理治具主体２を前記外筒３に挿入すると、修理治具主体２の内筒９は外筒３の内周面に密着した状態となる。次に、外筒３に連結部材１６を連結する。連結部材１６は有底円筒状であり、その内周面には雌ねじ１７が設けられているとともに、底部の中央部には主柱１８が設けられている。この連結部材１６を回して雌ねじ１７を外筒３の雄ねじ６に螺合すると、主柱１８は心材１０の基端面に当接して心材１０を先端部１０ａ方向に押圧する。
【００３６】
したがって、（ｅ）に示すように、内筒９に対して心材１０が前進し、内側リベット１４は内筒９の凹部９ｃから脱出する。内側リベット１４が凹部９ｃから脱出すると、内側リベット１４がピンホールｂを通過して消防ホースａの内部に位置し、皿状に弾性復元して接着剤１５を塗布した曲面１４ａが消防ホースａの内面に対面する。
【００３７】
次に、（ｆ）に示すように、連結部材１６を持って手前側に引き抜くと、外筒３の環状溝５がピンホールｂの口縁から外れ、外筒３と内筒９とが一体となって心材１０から脱出する。したがって、拡張されていたピンホールｂは弾性復元して縮小し、ピンホールｂの口縁が心材１０の先端部１０ａの外周面に密着する。
【００３８】
次に、（ｇ）に示すように、心材１０の基端部１０ｂに曲面１９ａに接着剤１５を塗布した外側リベット１９を嵌合する。この外側リベット１９は内側リベッ卜１４と同一材料、同一形状であり、この外側リベット１９を心材１０に嵌合した押込み治具２０ａによって心材１０の先端部１０ａ方向に押し込む。このとき、押込み治具２０ａの反対側に受け台２０ｂを設けることにより、消防ホースａは偏平状となり、内側リベット１４は消防ホースａのライニング層で挟持された状態となる。
【００３９】
また、（ｈ）に示すように、外側リベット１９が第１の切断溝１２を越えると、嵌合溝１１に落ち込み、最後に押込み治具２０ａと受け台２０ｂとによって内側リベット１４と外側リベット１９を挾むことにより、内側リベット１４と外側リベット１９がピンホールｂの周辺の消防ホースａの内外面に接着固定される。
【００４０】
次に、心材１０を矢印Ｂ方向に折り曲げると、図７に示すように、心材１０は第１の切断溝１２から切断され、残った心材１０の先端部１０ａでピンホールｂを塞いだ状態となる。ピンホールｂを塞いだ心材１０の先端部１０ａは嵌合溝１１に嵌着された内側リベット１４と外側リベット１９によって軸方向（消防ホースａの肉厚方向）に抜けることはなく、ピンホールｂを完全に塞ぎ、水漏れを防止することができる。
【００４１】
また、心材１０は硬質であるが、ピンホールｂを塞いだ心材１０の先端部１０ａは極小さい面積であり、内側リベット１４及び外側リベット１９は柔軟性があることから消防ホースａの修理箇所が硬質になることはなく、消防ホースａの巻き取り、折り畳み及び取扱いに支障を来すことはなく、また消防ホースａの見栄えを損なうことがない。
【００４２】
なお、前記実施形態においては、心材１０の先端部１０ａに嵌合溝１１を設け、この嵌合溝１１に内側リベット１４を嵌着したが、心材１０と一体に可撓性を有する内側リベットを設けてもよい。また、内側リベット１４の曲面１４ａ及び外側リベット１９の曲面１９ａに接着剤１５を塗布したが、接着剤１５は必ずしも塗布する必要はない。
【００４３】
また、前記実施形態においては、消防ホースのピンホールの修理につて説明したが、この発明の修理治具は弾性を有するあらゆる合成樹脂ホース、ゴムホース、ゴムボート、エアーテント等のピンホールの修理に適用できる。
【００４４】
【発明の効果】
以上説明したように、この発明によれば、ピンホールを簡単に、かつ完全に塞ぐことができるとともに、ピンホールを塞いだ心材は極小さい面積であり、内側リベット及び外側リベットは柔軟性があることから、修理箇所が硬質になることはなく、消防ホース等に使用しても巻き取り、折り畳み及び取扱いに支障を来すことはなく、また消防ホースの見栄えを損なうことがないという効果がある。
【図面の簡単な説明】
【図１】この発明の第１の実施形態を示すピンホール修理治具の縦断側面図。
【図２】同実施形態を示すピンホール修理方法を示す説明図。
【図３】同実施形態の内側リベットの変形例を示す半縦断側面図。
【図４】同実施形態の外側リベットの変形例を示す半縦断側面図。
【図５】この発明の第２の実施形態を示すピンホール修理治具の縦断側面図。
【図６】同実施形態を示すピンホール修理方法を示す説明図。
【図７】同実施形態を示すピンホール修理後の消防ホースを示し、（ａ）は正面図、（ｂ）はピンホール部分を拡大した断面図。
【符号の説明】
２１…拡張具
２４…内側リベット
２５…心材
２６…栓部
２７ｂ…切断溝
２８…パッキング
２９…外側リベット
【図１】
0004121178.tif 000002
【図２】
0004121178.tif 000003
【図３】
0004121178.tif 000004
【図４】
0004121178.tif 000005
【図５】
0004121178.tif 000006
【図６】
0004121178.tif 000007
【図７】
0004121178.tif 000008